(57)【要約】【課題】イメージセンサをキャリッジに対して精度よく位置決めしつつ、薄型化を実現できる読取ユニット及び画像読取装置を提供する。【解決手段】キャリッジ２００と筐体１００との間には、筐体１００のキャリッジ２００に対する第１方向の位置決めを行う位置決め部が設けられる。位置決め部は、キャリッジ２００に設けられ、第２位置にある筐体１００に向かって基準面２００Ｓから突出する突出部２１０と、筐体１００に設けられ、第２位置で突出部２１０と嵌合する凹部１１０とを含む。突出部２１０には、一端縁２００Ｅ側に位置し、第１位置にある筐体１００との干渉を避ける高さに設定された逃げ部２１１と、第２方向において逃げ部２１１よりも一端縁２００Ｅから離間し、基準面２００Ｓからの高さが逃げ部２１１よりも大きくされ、第２位置で凹部１１０に嵌入する嵌合部２１２とが形成されている。【選択図】図９
2014150311.tif 000002
【特許請求の範囲】
【請求項１】
第１方向に延びるキャリッジと、
前記第１方向に延びる筐体と、前記筐体に収容され、前記第１方向に整列する複数の受光素子とを有するイメージセンサとを備え、
前記キャリッジが前記イメージセンサを支持することにより構成される読取ユニットであって、
前記キャリッジは、基準面と、前記第１方向の両端側に設けられた一対の支持部と、前記第１方向に直交し、かつ前記基準面に平行な第２方向において、前記基準面に対して一方側に位置する一端縁とを有し、
前記筐体は、前記一対の支持部に対応する位置に設けられ、それぞれ対応する前記支持部に揺動可能に支持される一対の被支持部を有し、
前記キャリッジと前記筐体とは、前記一対の支持部に、対応する前記一対の被支持部が軸支されることにより、前記筐体が前記基準面から離間する方向に傾斜した第１位置と、前記筐体が前記基準面に接近した第２位置との間で変位可能に、前記第１方向と平行、かつ前記一端縁に近い第１軸心周りで揺動可能に構成され、
前記キャリッジと前記筐体との間には、前記筐体の前記キャリッジに対する前記第１方向の位置決めを行う位置決め部が設けられ、
前記位置決め部は、前記キャリッジに設けられ、前記第２位置にある前記筐体に向かって前記基準面から突出する突出部と、前記筐体に設けられ、前記第２位置で前記突出部と嵌合する凹部とを含み、
前記突出部には、前記一端縁側に位置し、前記第１位置にある前記筐体との干渉を避ける高さに設定された逃げ部と、前記第２方向において前記逃げ部よりも前記一端縁から離間し、前記基準面からの高さが前記逃げ部よりも大きくされ、前記第２位置で前記凹部に嵌入する嵌合部とが形成されていることを特徴とする読取ユニット。
【請求項２】
前記逃げ部及び前記嵌合部は、前記第２方向において前記一端縁から離間するにつれて前記基準面からの高さが大きくなる傾斜形状とされている請求項１記載の読取ユニット。
【請求項３】
前記一対の被支持部は、前記第１方向に突出する軸部であり、
前記一対の支持部は、対応する前記軸部を収容する軸孔である請求項１又は２記載の読取ユニット。
【請求項４】
前記嵌合部の先端が平坦である請求項１乃至３のいずれか１項記載の読取ユニット。
【請求項５】
前記突出部には、前記逃げ部に対して前記嵌合部とは反対側から隣接し、前記筐体が前記第１軸心周りに前記第１位置から前記第２位置とは反対側に揺動することを規制する規制部が形成されている請求項１乃至４のいずれか１項記載の読取ユニット。
【請求項６】
前記規制部は、前記逃げ部に隣接しつつ前記第１方向に沿って延設されるリブである請求項５記載の読取ユニット。
【請求項７】
請求項１乃至６のいずれか１項記載の前記読取ユニットと、
原稿台を有し、前記原稿台の下側に前記読取ユニットを収容するハウジングと、
前記ハウジング内に設けられ、前記読取ユニットを前記第２方向に往復移動させる駆動部と、を備えることを特徴とする画像読取装置。
【発明の詳細な説明】
【技術分野】
【０００１】
本発明は読取ユニット及び画像読取装置に関する。
【背景技術】
【０００２】
特許文献１に従来の読取ユニットの例が開示されている。この読取ユニットは、第１方向に延びるキャリッジと、イメージセンサとを備えている。イメージセンサは、第１方向に延びる筐体と、筐体に収容され、第１方向に整列する複数の受光素子とを有している。キャリッジがイメージセンサを支持することにより、読取ユニットが構成される。
【０００３】
より詳しくは、キャリッジは、イメージセンサを支持した状態で、そのイメージセンサの底面と対向する基準面と、第１方向の両端側に設けられた一対の支持部と、第１方向に直交し、かつ基準面に平行な第２方向において、基準面に対して一方側に位置する一端縁とを有している。筐体は、一対の支持部に対応する位置に設けられた一対の被支持部を有している。一対の被支持部は、それぞれ対応する支持部に揺動可能に支持される。
【０００４】
キャリッジと筐体とは、一対の支持部に、対応する一対の被支持部が軸支されることにより、筐体が基準面から離間する方向に傾斜した第１位置と、筐体が基準面に接近した第２位置との間で変位可能に、第１方向と平行、かつ一端縁に近い第１軸心周りで揺動可能に構成されている。
【０００５】
キャリッジと筐体との間には、筐体のキャリッジに対する第１方向の位置決めを行う位置決め部が設けられている。位置決め部は、突出部と、凹部とを含んでいる。突出部は、キャリッジの一端縁側に設けられ、第２位置にある筐体に向かって基準面から突出している。突出部は、キャリッジの基準面からの高さが等しく、上面が平坦な形状とされている。凹部は、筐体に設けられ、第２位置で突出部と嵌合する。このような位置決め部により、この読取ユニットでは、キャリッジがイメージセンサを支持した状態でのイメージセンサのキャリッジに対する第１方向の位置決めを行うようになっている。
【先行技術文献】
【特許文献】
【０００６】
【特許文献１】特開２００７−４３６８３号公報
【発明の概要】
【発明が解決しようとする課題】
【０００７】
ところで、上記従来の読取ユニットでは、イメージセンサの筐体をキャリッジの基準面から離間させるような衝撃等が作用することにより、位置決め部の突出部と凹部との嵌合が外れ、イメージセンサのキャリッジに対する第１方向の位置決めができなくなるおそれがある。その対策として、突出部の高さを大きくし、突出部と凹部との嵌合長さを増やすことが考えられる。しかしながら、突出部の高さを単純に大きくすると、第１位置と第２位置との間で変位する筐体に対して突出部が干渉し易くなるので、イメージセンサを第１位置から第２位置まで揺動させながらキャリッジに支持させるという組み付け作業に無理が生じる。また、突出部を高くすることに合わせて、支持部の位置を高くした場合、読取ユニット、ひいては画像読取装置の薄型化を実現することが難しくなってしまう。
【０００８】
本発明は、上記従来の実情に鑑みてなされたものであって、イメージセンサをキャリッジに対して精度よく位置決めしつつ、薄型化を実現できる読取ユニット及び画像読取装置を提供することを目的とする。
【課題を解決するための手段】
【０００９】
本発明の読取ユニットは、第１方向に延びるキャリッジと、
前記第１方向に延びる筐体と、前記筐体に収容され、前記第１方向に整列する複数の受光素子とを有するイメージセンサとを備え、
前記キャリッジが前記イメージセンサを支持することにより構成される読取ユニットであって、
前記キャリッジは、基準面と、前記第１方向の両端側に設けられた一対の支持部と、前記第１方向に直交し、かつ前記基準面に平行な第２方向において、前記基準面に対して一方側に位置する一端縁とを有し、
前記筐体は、前記一対の支持部に対応する位置に設けられ、それぞれ対応する前記支持部に揺動可能に支持される一対の被支持部を有し、
前記キャリッジと前記筐体とは、前記一対の支持部に、対応する前記一対の被支持部が軸支されることにより、前記筐体が前記基準面から離間する方向に傾斜した第１位置と、前記筐体が前記基準面に接近した第２位置との間で変位可能に、前記第１方向と平行、かつ前記一端縁に近い第１軸心周りで揺動可能に構成され、
前記キャリッジと前記筐体との間には、前記筐体の前記キャリッジに対する前記第１方向の位置決めを行う位置決め部が設けられ、
前記位置決め部は、前記キャリッジに設けられ、前記第２位置にある前記筐体に向かって前記基準面から突出する突出部と、前記筐体に設けられ、前記第２位置で前記突出部と嵌合する凹部とを含み、
前記突出部には、前記一端縁側に位置し、前記第１位置にある前記筐体との干渉を避ける高さに設定された逃げ部と、前記第２方向において前記逃げ部よりも前記一端縁から離間し、前記基準面からの高さが前記逃げ部よりも大きくされ、前記第２位置で前記凹部に嵌入する嵌合部とが形成されていることを特徴とする。
【００１０】
本発明の読取ユニットでは、突出部に逃げ部と嵌合部とが形成されている。そして、逃げ部は一端縁側に位置し、第１位置にある筐体との干渉を避ける高さに設定されている。嵌合部は、第２方向において逃げ部よりもキャリッジの一端縁から離間している。これにより、第２位置に対する第１位置の角度を大きくすることができるので、第１位置にある筐体に対して、基準面からの高さが逃げ部よりも大きくされた嵌合部が干渉し難くなる。そして、筐体が第１位置から第２位置に揺動し、嵌合部が第２位置で凹部に嵌入することにより、突出部全体の高さを大きくすることなく、嵌合部の高さのみを大きくして、嵌合部と凹部との嵌合長さを大きくすることができる。その結果、この読取ユニットでは、イメージセンサの筐体をキャリッジの基準面から離間させるような衝撃等が作用しても、位置決め部の突出部と凹部との嵌合が外れ難い。
【００１１】
したがって、本発明の読取ユニットでは、イメージセンサをキャリッジに対して精度よく位置決めしつつ、薄型化を実現できる。
【００１２】
逃げ部及び嵌合部は、第２方向において一端縁から離間するにつれて基準面からの高さが大きくなる傾斜形状とされていることが望ましい。この構成によれば、嵌合部が逃げ部によって補強されるので、嵌合部のみが高く突出する場合と比較して、嵌合部が破損し難い。
【００１３】
一対の被支持部は、第１方向に突出する軸部であることが望ましい。また、一対の支持部は、対応する軸部を収容する軸孔であることが望ましい。この構成によれば、一対の支持部が軸部であり、一対の被支持部が軸孔である場合と比較して、筐体を小型化し易い。
【００１４】
本発明の読取ユニットでは、嵌合部の先端が平坦であることが望ましい。この構成によれば、嵌合部の先端が尖っている場合と比較して、嵌合部が破損し難い。
【００１５】
突出部には、逃げ部に対して嵌合部とは反対側から隣接し、筐体が第１軸心周りに第１位置から第２位置とは反対側に揺動することを規制する規制部が形成されていることが望ましい。この構成によれば、規制部により、イメージセンサが第１位置からずれないように第１軸心周りに位置決めされるので、被支持部を支持部に支持させる作業を行い易い。
【００１６】
規制部は、逃げ部に隣接しつつ第１方向に沿って延設されるリブであることが望ましい。この場合、簡素なリブにより、規制部を容易に形成できる。
【００１７】
本発明の画像読取装置は、前記読取ユニットと、
原稿台を有し、前記原稿台の下側に前記読取ユニットを収容するハウジングと、
前記ハウジング内に設けられ、前記読取ユニットを前記第２方向に往復移動させる駆動部と、を備えることを特徴とする。
【００１８】
本発明の画像読取装置では、本発明の読取ユニットが奏する作用効果により、衝撃等によって位置決め部を構成する突出部と凹部との嵌合が外れることを抑制し、かつ画像読取装置の薄型化を実現できる。
【図面の簡単な説明】
【００１９】
【図１】実施例の読取ユニットが用いられた画像読取装置の斜視図である。
【図２】上記画像読取装置の模式側面図である。
【図３】上記画像読取装置に係り、プラテンガラスを取り外した画像読取ハウジングの上面図である。
【図４】上記画像読取装置に係り、ベース部、読取ユニット及び駆動部等を示す斜視図である。
【図５】上記読取ユニットに係り、組み付けられる前のキャリッジ及びイメージセンサを示す斜視図である。
【図６】上記読取ユニットに係り、組み付けられる途中のキャリッジ及びイメージセンサを示す斜視図である。
【図７】上記読取ユニットに係り、図６のＡ−Ａ断面において、キャリッジを示す断面図である。
【図８】上記読取ユニットに係り、図６のＡ−Ａ断面において、キャリッジ及び第１位置にある筐体等を示す断面図である。
【図９】上記読取ユニットに係り、図７と同様の断面において、キャリッジ及び第２位置にある筐体等を示す断面図である。
【図１０】上記読取ユニットに係り、図７と同様の断面において、キャリッジ及び第２位置にある筐体等を示す断面図である。
【図１１】比較例の読取ユニットに係り、図６のＡ−Ａ断面と同様の断面において、キャリッジを示す断面図である。
【図１２】比較例の読取ユニットに係り、図１１と同様の断面において、キャリッジ及び第１位置にある筐体等を示す断面図である。
【図１３】比較例の読取ユニットに係り、図１１と同様の断面において、キャリッジ及び第２位置にある筐体等を示す断面図である。
【図１４】比較例の読取ユニットに係り、図１１と同様の断面において、キャリッジ及び第２位置にある筐体等を示す断面図である。
【発明を実施するための形態】
【００２０】
以下、本発明を具体化した実施例を図面を参照しつつ説明する。
【００２１】
（実施例）
図１に示すように、実施例の画像読取装置１は、本発明の画像読取装置の具体的態様の一例である。図２〜図４に示すように、この画像読取装置１には、本発明の読取ユニットの具体的態様の一例である読取ユニット３が用いられている。図１では、操作パネル５が設けられた側を装置の前側と規定し、操作パネル５に向かった場合に左手に来る側を左側と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００２２】
＜全体構成＞
図１及び図２に示すように、画像読取装置１は、本体部８と開閉部９とを備えている。本体部８は、扁平な略箱状体であり、その前側には、図１に示す操作パネル５が設けられている。図２に示すように、本体部８の上面には、プラテンガラス１９が配設され、そのプラテンガラス１９の上面は略水平に延在する読取面８Ａとされている。読取面８Ａには、原稿を静止させた状態で読み取る際に、原稿が載置される。原稿は、用紙等のシートや、書籍等である。プラテンガラス１９は、本発明の「原稿台」の一例である。
【００２３】
図１に示すように、開閉部９は、本体部８の後面側上端縁に配設された図示しないヒンジにより、左右方向に延びる開閉軸心Ｘ９周りに揺動可能に本体部８に支持されている。開閉部９は、図１に実線で示すように、閉じた状態では読取面８Ａを上方から覆っている。その一方、開閉部９は、図１に二点鎖線で示すように、その前側が上方かつ後方に変位するように開閉軸心Ｘ９周りに揺動することにより、読取面８Ａの上方を開放する。これにより、ユーザは読取対象の原稿を読取面８Ａに載置することができる。
【００２４】
図１及び図２に示すように、開閉部９の上側には、供給トレイ９Ａが設けられている。また、開閉部９内には、図２に示すように、自動原稿搬送機構４が配設されている。自動原稿搬送機構４は周知のものであるので説明は簡略するが、供給トレイ９Ａに載置される複数枚の原稿を１枚ずつ分離し、搬送経路Ｐ１に沿って順次搬送する。
【００２５】
本体部８の下側部分には、画像形成ハウジングＦが設けられている。図示は省略するが、画像形成ハウジングＦには、インクジェット方式又はレーザ方式等の画像形成部が収容されている。本体部８の上側部分には、画像読取ハウジングＲが設けられている。画像読取ハウジングＲは、図２〜図４に示すように、ベース部１０、プラテンガラス１９、図示しない枠体等を有して構成されている。画像読取ハウジングＲは、本発明の「ハウジング」の一例である。
【００２６】
図３及び図４に示すように、ベース部１０は、熱可塑性樹脂の射出成形品である。ベース部１０には、底面１１及び周壁１２Ａ、１２Ｂ、１２Ｌ、１２Ｒ等が形成されている。
【００２７】
底面１１は、略水平に延在する略矩形平面である。なお、本実施例において、「略水平に延在する」とは、平面内に凸部又は、凹部を含んでいてもよいし、ある程度の傾斜、湾曲又は屈曲を含んでいてもよい。
【００２８】
周壁１２Ａ、１２Ｂ、１２Ｌ、１２Ｒはそれぞれ、底面１１の前後左右の端縁から上方に向けて突出している。前側の周壁１２Ａと、後側の周壁１２Ｂと、左側の周壁１２Ｌと、右側の周壁１２Ｒとは、底面１１の周縁を囲うことにより、その内側に収容領域１０Ａを形成している。収容領域１０Ａには、読取ユニット３、駆動部３０及び配線ケーブル５０が収容されている。
【００２９】
図２に示すプラテンガラス１９は、図３等に示す前側の周壁１２Ａと、後側の周壁１２Ｂと、左側の周壁１２Ｌと、右側の周壁１２Ｒとによって自己の周縁が下側から支持されている。また、プラテンガラス１９は、図示しない枠体が自己の周縁に対して上側から当接しつつ、ベース部１０に組み付けられることにより、画像読取ハウジングＲに固定されている。プラテンガラス１９は、底面１１と間隔を有して対向するとともに、収容領域１０Ａを覆っている。
【００３０】
底面１１には、ガイドレール２９が形成されている。ガイドレール２９は、底面１１における前後方向の略中央に位置して、上方に突出しつつ左右方向に延びている。ガイドレール２９の左端は、左側の周壁１２Ｌの下部まで延びている。ガイドレール２９の右端は、右側の周壁１２Ｒの下部まで延びている。
【００３１】
図３及び図４に示すように、読取ユニット３は、キャリッジ２００と、イメージセンサ１５０とを備えている。
【００３２】
キャリッジ２００は、前後方向に細長い樹脂製部材であり、前側の周壁１２Ａ及び後側の周壁１２Ｂの近傍まで延びている。前後方向は、本発明の「第１方向」の一例である。キャリッジ２００は、ガイドレール２９に案内されることにより、底面１１の左端側から右端側までの間で往復移動可能となっている。
【００３３】
イメージセンサ１５０は、収容領域１０Ａ内でプラテンガラス１９に対して下側から対向するようにキャリッジ２００に支持されている。イメージセンサ１５０がキャリッジ２００に支持される具体的構成については、後で詳しく説明する。
【００３４】
イメージセンサ１５０は、前後方向に延びる筐体１００と、筐体１００に収容された複数の受光素子１５１とを有している。図３及び図４では、複数の受光素子の集合体に符号１５１を付している。各受光素子１５１は、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサである。各受光素子１５１は前後方向に直線状に整列している。受光素子１５１全体としての前後方向の長さは、読取面８Ａに載置される原稿（本装置が読取可能とする最大サイズの原稿）の前後幅を越える程度に大きくされている。イメージセンサ１５０は、キャリッジ２００の移動に伴って、底面１１の左端側から右端側までの間で往復移動する。
【００３５】
駆動部３０は、駆動源３０Ｍ、駆動プーリ３１、従動プーリ３２及びタイミングベルト３３を有している。
【００３６】
駆動源３０Ｍは、電動モータと、その電動モータに噛み合う複数個のギヤ群とからなる。駆動源３０Ｍは、左側の周壁１２Ｌに隣接し、かつ、ガイドレール２９の左端に対して後側に位置している。駆動源３０Ｍは、図示しない制御部に制御されて回転する。
【００３７】
駆動プーリ３１は、駆動源３０Ｍのギヤ群のうち、最も前側のギヤに一体成形されている。駆動プーリ３１は、左側の周壁１２Ｌに隣接し、かつ、ガイドレール２９の左端に対して、後側に位置している。駆動プーリ３１は、上下方向に延びる軸心周りに回転可能となっている。
【００３８】
図示しない制御部に制御されて、駆動源３０Ｍの電動モータが回転すると、駆動プーリ３１が回転駆動される。制御部が電動モータの回転方向を切り替えることにより、駆動プーリ３１は、正回転又は逆回転する。
【００３９】
従動プーリ３２は、右側の周壁１２Ｒに隣接し、かつ、ガイドレール２９の右端に対して、後側に位置している。従動プーリ３２は、上下方向に延びる軸心周りに回転可能となっている。
【００４０】
タイミングベルト３３は、駆動プーリ３１と従動プーリ３２とに巻き掛けられた無端ベルトである。図示は省略するが、タイミングベルト３３において、駆動プーリ３１から従動プーリ３２まで平行に延びる一対の直線部分の一方は、キャリッジ２００に連結されている。これにより、駆動プーリ３１の正回転及び逆回転に伴うタイミングベルト３３の変位がキャリッジ２００に伝達され、キャリッジ２００が左右方向に往復移動可能となっている。
【００４１】
配線ケーブル５０は、複数本の被覆電線が帯状に接続されてなり、可撓性を有するフレキシブルフラットケーブルである。配線ケーブル５０は、底面１１の後端側に配設されている。配線ケーブル５０の一端部５０Ａは、本体部８内に設けられた図示しない制御部に電気的に接続されている。配線ケーブル５０の他端部５０Ｂは、キャリッジ２００に固定され、その先において、イメージセンサ１５０とコネクタ１００Ｃを介して電気的に接続されている。配線ケーブル５０は、キャリッジ２００の移動に追従可能な弛み５０Ｃを有しており、イメージセンサ１５０による画像の読取処理を妨げないようになっている。
【００４２】
＜画像読取動作＞
この画像読取装置１では、読取面８Ａに載置された原稿を読み取る場合、駆動部３０が作動し、図２に示すように、キャリッジ２００に搭載されたイメージセンサ１５０を本体部８内における左端側から右端側に移動させる。これにより、イメージセンサ１５０の各受光素子１５１は、読取面８Ａに載置された原稿の画像を読み取る。その後、駆動部３０は、読み取りを終えたイメージセンサ１５０を本体部８内における右端側から左端側に移動させ、元の位置に復帰させる。
【００４３】
また、この画像読取装置１では、供給トレイ９Ａに載置される複数枚の原稿の画像を読み取る場合、図２及び図４に示すように、駆動部３０が作動し、キャリッジ２００に搭載されたイメージセンサ１５０を本体部８内における左端側の位置である固定読取位置に移動させる。そして、自動原稿搬送機構４が供給トレイ９Ａに載置される原稿を搬送経路Ｐ１に沿って順次搬送すると、その原稿が固定読取位置にあるイメージセンサ１５０の上側を通過するので、イメージセンサ１５０の各受光素子１５１は、その通過する原稿の画像を読み取る。
【００４４】
こうして、この画像読取装置１では、読取面８Ａ又は供給トレイ９Ａに載置された原稿の画像を読み取ることができる。
【００４５】
＜イメージセンサがキャリッジに支持される具体的構成＞
イメージセンサ１５０は、以下に説明するように、図５〜図８に示す手順に従って、キャリッジ２００に組み付けられることにより、図９及び図１０に示すように、キャリッジ２００に支持される。
【００４６】
図５及び図７に示すように、キャリッジ２００は、基準面２００Ｓを有している。基準面２００Ｓは、読取面８Ａと平行に、前後方向に長く延在するとともに左右方向に短く延在している。左右方向は、本発明の「第１方向に直交し、かつ基準面に平行な第２方向」の一例である。
【００４７】
また、キャリッジ２００は、左壁部２５０Ｌと、右壁部２５０Ｒと、右端縁２００Ｅとを有している。左壁部２５０Ｌは、基準面２００Ｓの左端縁から上方に向けて突出し、かつ前後方向に延びている。右壁部２５０Ｒは、基準面２００Ｓの右端縁から上方に向けて突出し、かつ前後方向に延びている。左壁部２５０Ｌ及び右壁部２５０Ｒは、基準面２００Ｓが歪まないように補強している。そして、基準面２００Ｓ、左壁部２５０Ｌ及び右壁部２５０Ｒによって形成される凹部により、イメージセンサ１５０が下側から覆われる。
【００４８】
右端縁２００Ｅは、右壁部２５０Ｒの右側面である。右端縁２００Ｅは、基準面２００Ｓに対して右側に位置している。右端縁２００Ｅは、本発明の「キャリッジの一端縁」の一例である。なお、実施例では、右壁部２５０Ｒの右側面が基準面に対して直交する平面であるが、例えば、右壁部２５０Ｒの右側面が右側に膨出する屈曲面又は湾曲面である場合には、その屈曲面又は湾曲面の最右側の稜線が本発明の「キャリッジの一端縁」の一例に相当することになる。
【００４９】
また、キャリッジ２００は、板状の支持部２２１と、板状の支持部２２２と、軸孔２０１と、軸孔２０２とを有している。支持部２２１は、基準面２００Ｓの前端側、かつ右壁部２５０Ｒの前端側から上方に向けて板状に突出している。支持部２２２は、基準面２００Ｓの後端側、かつ右壁部２５０Ｒの後端側から上方に向けて板状に突出している。
【００５０】
軸孔２０１は、前側の支持部２２１に形成された長穴である。軸孔２０１は、支持部２２１を前後方向において貫通している。軸孔２０１は、上下方向に長く延び、その上部が切り欠かれている。軸孔２０２は、後側の支持部２２２に形成された長穴である。軸孔２０２は、支持部２２２を前後方向において貫通している。軸孔２０２は、上下方向に長く延び、その上部が切り欠かれている。軸孔２０１及び軸孔２０２の輪郭は、前後方向から見て一致している。軸孔２０１及び軸孔２０２は、前後方向と平行、かつ右端縁２００Ｅに近い第１軸心Ｘ１を規定している。第１軸心Ｘ１は、軸孔２０１及び軸孔２０２の長穴形状の範囲内で上下方向に移動し得る。支持部２２１、支持部２２２、軸孔２０１及び軸孔２０２は、本発明の「一対の支持部」の一例である。
【００５１】
また、キャリッジ２００は、バネ受け部２４１と、バネ受け部２４２とを有している。バネ受け部２４１は、基準面２００Ｓの前端側において下方に向けて凹んでいる。バネ受け部２４２は、基準面２００Ｓの後端側において下方に向けて凹んでいる。図７に示すように、バネ受け部２４１、２４２はそれぞれ、圧縮コイルバネ２４５の下端部が挿入されることにより、圧縮コイルバネ２４５を保持する。
【００５２】
図５に示すように、筐体１００は、膨出部１２１と、膨出部１２２と、軸部１０１と、軸部１０２とを有している。図９に示すように、イメージセンサ１５０がキャリッジ２００に支持された状態において、イメージセンサ１５０の筐体１００の左側を向く面を左側面１００Ｌとし、筐体１００の右側を向く面を右側面１００Ｒとする。そうすると、図５に示すように、膨出部１２１は、筐体１００の右側面１００Ｒにおける前端側から、左側面１００Ｌとは反対側に向けてブロック状に膨出している。膨出部１２２は、筐体１００の右側面１００Ｒにおける後端側から、左側面１００Ｌとは反対側に向けてブロック状に膨出している。
【００５３】
軸部１０１は、前側の膨出部１２１の後側面から後方に向けて突出している。軸部１０２は、後側の膨出部１２２の後側面から後方に向けて突出している。軸部１０１及び軸部１０２の輪郭は、前後方向から見て一致している。軸部１０１及び軸部１０２の前後方向の間隔は、軸孔２０１及び軸孔２０２の前後方向の間隔と略等しい。すなわち、軸部１０１は、軸孔２０１に対応する位置に設けられ、軸部１０２は、軸孔２０２に対応する位置に設けられている。軸部１０１及び軸部１０２は、本発明の「一対の被支持部」の一例である。
【００５４】
図５に示すように、イメージセンサ１５０をキャリッジ２００の基準面２００Ｓに対して上方、かつ前方にずれた状態からキャリッジ２００に接近させ、軸部１０１、１０２を第１軸心Ｘ１に一致させた後、イメージセンサ１５０に後方にずらすことにより、図６及び図８に示すように、軸部１０１が軸孔２０１に揺動可能に支持されるとともに、軸部１０２が軸孔２０２に揺動可能に支持される。
【００５５】
筐体１００は、図６及び図８に示す位置では、基準面２００Ｓから離間する方向に傾斜している。具体的には、筐体１００は、基準面２００Ｓに対して、第１軸心Ｘ１周りに１３０〜１５０°程度揺動している。図６及び図８に示す筐体１００の位置を第１位置とする。
【００５６】
そして、筐体１００を第１位置から、図９及び図１０に示すように、第１軸心Ｘ１周りで揺動させることにより、筐体１００が基準面２００Ｓに接近する。その結果、筐体１００が基準面２００Ｓの真上に位置し、圧縮コイルバネ２４５に上端部に当接する状態となる。図９及び図１０に示す筐体１００の位置を第２位置とする。
【００５７】
長穴である軸孔２０１、２０２に沿って、軸部１０１、１０２及び第１軸心Ｘ１が上下動することにより、第２位置にある筐体１００は、図９及び図１０に示すように、上下動可能となっている。筐体１００が圧縮コイルバネ２４５により上向きに付勢され、プラテンガラス１９に押圧されることにより、各受光素子１５１と読取面８Ａとの距離が一定に維持される。
【００５８】
図５及び図７に示すように、キャリッジ２００には、突出部２１０が設けられている。筐体１００には、凹部１１０が設けられている。突出部２１０及び凹部１１０は、筐体１００のキャリッジ２００に対する前後方向の位置決めを行うためのものである。突出部２１０及び凹部１１０は、本発明の「キャリッジと筐体との間に設けられた位置決め部」の一例である。
【００５９】
突出部２１０は、基準面２００Ｓの後端側、かつ支持部２２２及び軸孔２０２の前方から上向きに突出している。換言すると、突出部２１０は、図９及び図１０に示すように、第２位置にある筐体１００の後側の膨出部１２２に向かって突出している。
【００６０】
図７に示すように、突出部２１０には、逃げ部２１１と、嵌合部２１２とが形成されている。
【００６１】
逃げ部２１１は、右端縁２００Ｅ側に位置している。嵌合部２１２は、左右方向において逃げ部２１１よりも右端縁２００Ｅから離間している。要するに、嵌合部２１２は、逃げ部２１１に対して左側に位置している。
【００６２】
逃げ部２１１及び嵌合部２１２は、左右方向において右端縁２００Ｅから離間するにつれて基準面２００Ｓからの高さが略直線状に大きくなる傾斜形状とされている。また、嵌合部２１２の先端２１２Ａは、平坦である。
【００６３】
逃げ部２１１及び嵌合部２１２の基準面２００Ｓに対する傾斜角度α１は、４０〜６０°程度である。逃げ部２１１の下端の高さＨ２１１は、軸孔２０１、２０２よりも低く設定されている。嵌合部２１２の基準面２００Ｓからの高さＨ２１２は、逃げ部２１１より大きくされている。このような逃げ部２１１の高さの設定により、図６及び図８に示すように、逃げ部２１１は、第１位置にある筐体１００の後側の膨出部１２２との干渉を避けるようになっている。
【００６４】
図５及び図７に示すように、突出部２１０には、リブ２３０が形成されている。リブ２３０は、逃げ部２１１の下端に対して右側から隣接しつつ前後方向に沿って延設されている。リブ２３０は、本発明の「規制部」の一例である。図８に示すように、リブ２３０は、逃げ部２１１に対して嵌合部２１２とは反対側から隣接し、後側の膨出部１２２に当接することで、筐体１００が第１軸心Ｘ１周りに第１位置から第２位置とは反対側に揺動することを規制する。
【００６５】
図８に示すように、凹部１１０は、後側の膨出部１２２の下面側に凹設されている。すなわち、凹部１１０は、筐体１００の各受光素子１５１を収容する側の面とは反対側から、筐体１００の各受光素子１５１を収容する側の面側に向かって凹んでいる。また、凹部１１０は、右側面１００Ｒとは反対側が開放されている。
【００６６】
図６及び図８に示すように、筐体１００が第１位置にある状態では、凹部１１０は、嵌合部２１２の上側に位置している。そして、筐体１００を第１位置から、図９及び図１０に示すように、第１軸心Ｘ１周りで揺動させることにより、凹部１１０は、第１軸心Ｘ１周りで上向きの円弧を描いて回動する。その結果、筐体１００が第２位置にある状態で、嵌合部２１２が凹部１１０に嵌入する。嵌合部２１２の前後方向の幅は、凹部１１０の前後方向の内幅に対して隙間が生じない大きさとされている。これにより、筐体１００がキャリッジ２００に対して、前後方向で位置決めされる。
【００６７】
こうして、キャリッジ２００がイメージセンサ１５０を支持することにより、読取ユニット３が構成される。
【００６８】
図９及び図１０に示すように、第２位置にある筐体１００が上下動すると、嵌合部２１２と凹部１１０との嵌合長さは、Ｌ１１〜Ｌ１２の範囲で増減する。この増減の範囲は、長孔である軸孔２０１、２０２内を移動する軸部１０１、１０２の移動可能な長さによって決まる。すなわち、軸部１０１、１０２の移動によって嵌合長が短くなったとしても、嵌合長さＬ１２が確保されることを示している。
【００６９】
ここで、図１１〜図１４に比較例の読取ユニットを示す。比較例の読取ユニットでは、実施例の読取ユニット３の突出部２１０の形状を変更した突出部２１９を採用している。比較例の読取ユニットのその他の構成は、実施例の読取ユニット３と同一である。このため、実施の読取ユニット３と同一の構成については同一の符号を付して、説明を省略又は簡略する。
【００７０】
図１１に示すように、比較例の読取ユニットにおいて、突出部２１９は、左右方向において基準面２００Ｓからの高さが等しい平坦な形状とされている。突出部２１９の基準面２００Ｓからの高さＨ２１９は、嵌合部２１２の基準面２００Ｓからの高さＨ２１２より小さく、かつ逃げ部２１１の下端の高さＨ２１１より大きくされている。
【００７１】
このような形状の突出部２１９との干渉を避けるため、比較例では、図１２に示すように、筐体１００は、第１位置にある状態で、基準面２００Ｓに対して第１軸心Ｘ１周りに９０°程度揺動している。
【００７２】
そして、そして、筐体１００を第１位置から、図１３及び図１４に示すように、第１軸心Ｘ１周りで揺動させることにより、凹部１１０は、第１軸心Ｘ１周りで１／４円弧を描いて回動する。その結果、筐体１００が第２位置にある状態で、突出部２１９が凹部１１０に嵌入する。これにより、筐体１００がキャリッジ２００に対して、前後方向で位置決めされる。
【００７３】
比較例では、図１３及び図１４に示すように、第２位置にある筐体１００が上下動すると、突出部２１９と凹部１１０との嵌合長さは、実施例のＬ１１〜Ｌ１２の範囲と比較して狭いＬ２１〜Ｌ２２の範囲で増減する。この比較例では、軸部１０１、１０２の移動によって嵌合長さが短くなった場合、嵌合長さはＬ２２しか確保されないことを示している。このため、例えば、嵌合長さがＬ２２の時に衝撃等が加わると、キャリッジ２００に対して、イメージセンサ１５０に前後方向にずれるように移動し、嵌合が外れる可能性が高くなる。これに対して、本実施形態における図９及び図１０の構成では、軸部１０１、１０２の移動によって嵌合長さが短くなった場合でも、嵌合長さがＬ２２より大きなＬ１２を確保しているため、比較例に対して、突出部２１９と凹部１１０との嵌合が外れる可能性が低くなる。
【００７４】
＜作用効果＞
実施例の画像読取装置１に用いられている読取ユニット３では、位置決め部としての突出部２１０及び凹部１１０は、筐体１００のキャリッジ２００に対する前後方向の位置決めを行うので、イメージセンサ１５０の各受光素子１５１とキャリッジ２００との前後方向の位置決め精度のばらつきを抑制でき、その結果、読取ユニット３の画像読取品質の低下を抑制できる。
【００７５】
ここで、この画像読取装置１では、図７に示すように、突出部２１０に逃げ部２１１と嵌合部２１２とが形成されている。そして、逃げ部２１１は右端縁２００Ｅ側に位置し、第１位置にある筐体１００の後側の膨出部１２２との干渉を避ける高さ（Ｈ２１１）に設定されている。一方、嵌合部２１２は、左右方向において逃げ部２１１よりもキャリッジ２００の右端縁２００Ｅから離間した位置にあり、その高さ（Ｈ２１２）は逃げ部２１１よりも高く形成されている。これにより、図６及び図８に示すように、第１位置にある筐体１００の後側の膨出部１２２を、嵌合部２１２に干渉することなく、逃げ部２１１に当接させることができる。この場合、第２位置に対する第１位置の角度を大きくすることができ、第１位置において、軸孔２０１、２０２の位置を従来に比べて高くすることなく、軸部１０１、１０２を軸孔２０１、２０２に支持させることができる。また、筐体１００が第１位置から第２位置に揺動し、嵌合部２１２が第２位置で凹部１１０に嵌入することにより、突出部２１０全体の高さを大きくすることなく、嵌合部２１２の高さＨ２１２のみを大きくすることで、キャリッジ２００の嵌合部２１２と、第２位置にあるイメージセンサ１５０の凹部１１０との嵌合長さＬ１１〜Ｌ１２を大きく確保することができる。その結果、この読取ユニット３では、イメージセンサ１５０の筐体１００をキャリッジ２００の基準面２００Ｓから離間させるような衝撃等が作用しても、突出部２１０と凹部１１０との嵌合長さが大きく確保されているため、両者の嵌合が外れ難い。
【００７６】
したがって、実施例の読取ユニット３では、イメージセンサ１５０のキャリッジ２００に対する前後方向の位置決めを精度よく行いつつ、薄型化を実現できる。その結果、実施例の画像読取装置１においても、読取ユニット３が奏する作用効果により、イメージセンサ１５０のキャリッジ２００に対する前後方向の位置決めを精度よく行いつつ、装置の薄型化を実現できる。
【００７７】
また、この読取ユニット３では、逃げ部２１１及び嵌合部２１２は、左右方向において右端縁２００Ｅから離間するにつれて基準面２００Ｓからの高さが大きくなる傾斜形状とされている。これにより、この読取ユニット３では、嵌合部２１２が逃げ部２１１によって補強されるので、嵌合部２１２のみが高く突出する場合と比較して、嵌合部２１２が破損し難い。
【００７８】
さらに、この読取ユニット３では、一対の被支持部は、前後方向に突出する軸部１０１、１０２である。また、一対の支持部は、支持部２２１及び支持部２２２に設けられ、対応する軸部１０１、１０２を収容する軸孔２０１、２０２である。これにより、この読取ユニット３では、仮に一対の支持部が軸部であり、一対の被支持部が軸孔である場合と比較して、筐体１００を小型化し易い。
【００７９】
また、この読取ユニット３では、嵌合部２１２の先端２１２Ａが平坦であるので、仮に嵌合部２１２の先端が尖っている場合と比較して、嵌合部２１２が破損し難い。
【００８０】
さらに、この読取ユニット３では、逃げ部２１１に隣接しつつ前後方向に沿って延設されたリブ２３０により、イメージセンサ１５０の筐体１００が第１位置からずれないように第１軸心Ｘ１周りに位置決めされるので、軸部１０１、１０２を軸孔２０１、２０２に支持させる作業を行い易い。また、簡素なリブ２３０により、規制部を容易に形成できる。
【００８１】
以上において、本発明を実施例に即して説明したが、本発明は上記実施例に制限されるものではなく、その趣旨を逸脱しない範囲で適宜変更して適用できることはいうまでもない。
【００８２】
例えば、一対の支持部、又は一対の被支持部が軸孔である場合において、軸孔は、有底孔、貫通孔、丸穴、長穴等であり得る。また、穴の一部が切り欠かれていてもよい。
【００８３】
また、凹部は、例えば、溝、有底孔、貫通孔、丸穴、長穴、切り欠き等であり得る。
【産業上の利用可能性】
【００８４】
本発明は画像読取装置及び複合機等に利用可能である。
【符号の説明】
【００８５】
１…画像読取装置、３…読取ユニット、３０…駆動部
１９…原稿台（プラテンガラス）、Ｒ…ハウジング（画像読取ハウジング）
２２１、２２２、２０１、２０２…一対の支持部（２２１、２２２…支持部、２０１、２０２…軸孔）、２００…キャリッジ
２００Ｓ…基準面、２００Ｅ…一端縁（右端縁）、Ｘ１…第１軸心
１００…筐体、１５０…イメージセンサ
１０１、１０２…一対の被支持部（軸部）
１１０、２１０…位置決め部（１１０…凹部、２１０…突出部）
２１１…逃げ部、２１２…嵌合部、２１２Ａ…嵌合部の先端
２３０…規制部（リブ）
Ｈ２１２…嵌合部の基準面からの高さ
【図１】
2014150311.tif 000003
【図２】
2014150311.tif 000004
【図３】
2014150311.tif 000005
【図４】
2014150311.tif 000006
【図５】
2014150311.tif 000007
【図６】
2014150311.tif 000008
【図７】
2014150311.tif 000009
【図８】
2014150311.tif 000010
【図９】
2014150311.tif 000011
【図１０】
2014150311.tif 000012
【図１１】
2014150311.tif 000013
【図１２】
2014150311.tif 000014
【図１３】
2014150311.tif 000015
【図１４】
2014150311.tif 000016